(57)【要約】【課題】フレーム部材の斜めの端部同士を直接合わせるような額縁の場合でも、隣接するフレーム部材同士を干渉させることなくフレーム部材を開くことができる額縁を提供すること。【解決手段】額縁の底部材２の各辺にフレーム部材１を揺動可能に支持するとともに、フレーム部材１を底部材２との間に架設した板ばね３により底部材２側に付勢し、フレーム部材１と底部材２とにより掲示物を着脱可能に挟持するようにし、フレーム部材１と底部材２とにより掲示物を挟持している状態で、フレーム部材１の揺動中心４を通るフレーム部材平面Ｌ１と、該揺動中心４を通るフレーム部材１の最大突出部の接線Ｌ２とがなす角度をθとして、フレーム部材１の揺動許容角Ａが２θ以下となるように設定する。【選択図】図１
2005176889.tif 000002
【特許請求の範囲】
【請求項１】
額縁の底部材の各辺にフレーム部材を揺動可能に支持するとともに、フレーム部材を底部材との間にばねを架設し、フレーム部材と底部材とにより掲示物を着脱可能に挟持するようにした額縁において、フレーム部材と底部材とにより掲示物を挟持している状態で、フレーム部材の揺動中心を通るフレーム部材平面と、該揺動中心を通るフレーム部材の最大突出部の接線とがなす角度をθとして、フレーム部材の揺動許容角が２θ以下となるように設定したことを特徴とする額縁。
【請求項２】
底部材の付勢点をフレーム部材の付勢点より内側に位置させることにより、フレーム部材を揺動中心側に付勢するとともに、フレーム部材と底部材とにより掲示物を挟持している状態で、フレーム部材の軸受け部が、前記フレーム部材の揺動中心を通るフレーム部材平面より表側で、かつ、該フレーム部材平面と直交し、フレーム部材の揺動中心を通る直交面より内側に位置するようにしたことを特徴とする請求項１記載の額縁。
【請求項３】
底部材の付勢点をフレーム部材の付勢点より外側に位置させることにより、フレーム部材を揺動中心と反対側に付勢するとともに、フレーム部材と底部材とにより掲示物を挟持している状態で、フレーム部材の軸受け部が、前記フレーム部材の揺動中心を通るフレーム部材平面より表側で、かつ、該フレーム部材平面と直交し、フレーム部材の揺動中心を通る直交面より内側に位置するようにしたことを特徴とする請求項１記載の額縁。
【発明の詳細な説明】
【技術分野】
【０００１】
本発明は、掲示物を前面から着脱することができる額縁に関し、特に、フレーム部材の斜めの端部同士を直接合わせるような額縁の場合でも、隣接するフレーム部材同士を干渉させることなくフレーム部材を開くことができる額縁に関するものである。
【背景技術】
【０００２】
掲示物を前面から着脱することができる額縁は、従来、定期的に掲示物を変更する広告等においてよく使用されている。
この額縁は、図３（ｂ）に示すように、額縁の底部材の各辺にフレーム部材１を揺動可能に支持するとともに、フレーム部材１を底部材との間にばねを架設し、フレーム部材１と底部材とで掲示物を着脱可能に挟持するようになっている。
これにより、この額縁は、フレーム部材１を開閉することによって、ポスター等の掲示物を前面から容易に交換することができる。
【０００３】
ところで、上記従来の額縁は、底部材の外側に揺動軸を設け、該揺動軸にフレーム部材の半円状の軸受け部を被嵌させることから、例えば、図３（ａ）に示すように、コーナー部材Ｃを省略し、フレーム部材１の斜めの端部１ａ同士を直接合わせるような額縁の場合は、この軸受け部付近が隣接するフレーム部材同士で干渉し、フレーム部材を開くことができないという問題があった（例えば、特許文献１の図６参照）。
【０００４】
【特許文献１】特開平８−２９９１３１号公報
【発明の開示】
【発明が解決しようとする課題】
【０００５】
本発明は、上記従来の額縁が有する問題点に鑑み、フレーム部材の斜めの端部同士を直接合わせるような額縁の場合でも、隣接するフレーム部材同士を干渉させることなくフレーム部材を開くことができる額縁を提供することを目的とする。
【課題を解決するための手段】
【０００６】
上記目的を達成するため、本発明の額縁は、額縁の底部材の各辺にフレーム部材を揺動可能に支持するとともに、フレーム部材を底部材との間にばねを架設し、フレーム部材と底部材とにより掲示物を着脱可能に挟持するようにした額縁において、フレーム部材と底部材とにより掲示物を挟持している状態で、フレーム部材の揺動中心を通るフレーム部材平面と、該揺動中心を通るフレーム部材の最大突出部の接線とがなす角度をθとして、フレーム部材の揺動許容角が２θ以下となるように設定したことを特徴とする。
【０００７】
この場合において、底部材の付勢点をフレーム部材の付勢点より内側に位置させることにより、フレーム部材を揺動中心側に付勢するとともに、フレーム部材と底部材とにより掲示物を挟持している状態で、フレーム部材の軸受け部が、前記フレーム部材の揺動中心を通るフレーム部材平面より表側で、かつ、該フレーム部材平面と直交し、フレーム部材の揺動中心を通る直交面より内側に位置するようにすることができる。
【０００８】
また、底部材の付勢点をフレーム部材の付勢点より外側に位置させることにより、フレーム部材を揺動中心と反対側に付勢するとともに、フレーム部材と底部材とにより掲示物を挟持している状態で、フレーム部材の軸受け部が、前記フレーム部材の揺動中心を通るフレーム部材平面より表側で、かつ、該フレーム部材平面と直交し、フレーム部材の揺動中心を通る直交面より内側に位置するようにすることができる。
【発明の効果】
【０００９】
本発明の額縁によれば、額縁の底部材の各辺にフレーム部材を揺動可能に支持するとともに、フレーム部材を底部材との間にばねを架設し、フレーム部材と底部材とにより掲示物を着脱可能に挟持するようにした額縁において、フレーム部材と底部材とにより掲示物を挟持している状態で、フレーム部材の揺動中心を通るフレーム部材平面と、該揺動中心を通るフレーム部材の最大突出部の接線とがなす角度をθとして、フレーム部材の揺動許容角を２θ以下とすることから、フレーム部材の斜めの端部同士を直接合わせるような額縁の場合でも、フレーム部材を開いたときに干渉し始める角度以内にフレーム部材を位置させることができ、これにより、隣接するフレーム部材同士を干渉させることなくフレーム部材を開くことができる。
【００１０】
また、底部材の付勢点をフレーム部材の付勢点より内側に位置させることにより、フレーム部材を揺動中心側に付勢するとともに、フレーム部材と底部材とにより掲示物を挟持している状態で、フレーム部材の軸受け部が、前記フレーム部材の揺動中心を通るフレーム部材平面より表側で、かつ、該フレーム部材平面と直交し、フレーム部材の揺動中心を通る直交面より内側に位置するようにすることにより、額縁の構成を簡略にするとともに、フレーム部材の開閉動作を円滑に行うことができる。
【００１１】
また、底部材の付勢点をフレーム部材の付勢点より外側に位置させることにより、フレーム部材を揺動中心と反対側に付勢するとともに、フレーム部材と底部材とにより掲示物を挟持している状態で、フレーム部材の軸受け部が、前記フレーム部材の揺動中心を通るフレーム部材平面より表側で、かつ、該フレーム部材平面と直交し、フレーム部材の揺動中心を通る直交面より内側に位置するようにすることにより、同様に、額縁の構成を簡略にするとともに、フレーム部材の開閉動作を円滑に行うことができる。
【発明を実施するための最良の形態】
【００１２】
以下、本発明の額縁の実施の形態を図面に基づいて説明する。
【実施例１】
【００１３】
図１〜図３に、本発明の額縁の第１実施例を示す。
この額縁は、コーナー部材Ｃを省略し、斜めに形成したフレーム部材１の端部１ａ同士を直接合わせるようにするもので、額縁の底部材２の各辺にフレーム部材１を揺動可能に支持するとともに、フレーム部材１を底部材２との間に架設した板ばね３により底部材２側に付勢し、フレーム部材１と底部材２とにより掲示物（図示省略）を着脱可能に挟持するようにしている。
そして、この額縁は、フレーム部材１と底部材２とにより掲示物を挟持している状態で（以下、「閉じ位置」という。）、前記フレーム部材１の揺動中心４を通るフレーム部材平面Ｌ１と、該揺動中心４を通るフレーム部材１の最大突出部の接線Ｌ２とがなす角度をθとして、フレーム部材１の揺動許容角Ａが２θ以下となるように設定している。
【００１４】
底部材２は、四角の枠状に形成され、底板や掲示物、プラスチックカバーを支える鍔部２１をその内側に備えるとともに、フレーム部材１を揺動可能に支持する揺動支持部５をその外側に備えている。
揺動支持部５は、底部材２の外周縁部の上面に突設された軸部５１と、該軸部５１の内側に、揺動中心４の同心円の円弧を有して形成されたガイド壁５２とを備えている。
軸部５１は後述するフレーム部材１の軸受け部１２を、また、ガイド壁５２は後述するフレーム部材１の第２軸受け部１３をそれぞれ揺動可能に支持しており、この軸部５１とガイド壁５２の先端に突設したストッパ５３ｂが、軸受け部１２と第２軸受け部１３の先端に突設したストッパ１４ｂに掛合することにより、フレーム部材１の揺動許容角Ａを所定範囲に制限している。
また、底部材２の内側には、前記ばね３の付勢点２２が設けられており、この底部材２の付勢点２２をフレーム部材１の付勢点１５より内側に位置させることにより、フレーム部材１を揺動中心４側に付勢している。
【００１５】
一方、フレーム部材１は、底部材２の鍔部２１とで掲示物等を挟持する鍔部１１を内側に備え、また、底部材２の軸部５１に被嵌される軸受け部１２と、ガイド壁５２に被嵌される第２軸受け部１３とを外側に備えている。軸受け部１２は軸部５１の周囲を摺動し、第２軸受け部１３はガイド壁５２に沿って摺動する。
軸受け部１２の先端には、軸部５１のストッパ５３ａと掛合するストッパ１４ａが設けられており、また、第２軸受け部１３の先端にも、ガイド壁５２のストッパ５３ｂと掛合するストッパ１４ｂが設けられている。
また、第２軸受け部１３には、前記底部材２の付勢点２２より外側に位置するように、フレーム部材１のばねの付勢点１５が設けられている。
そして、フレーム部材１の軸受け部１２及び第２軸受け部１３が、閉じ位置で、フレーム部材１の揺動中心４を通るフレーム部材平面Ｌ１より表側で、かつ、フレーム部材平面Ｌ１と直交し、フレーム部材１の揺動中心４を通る直交面Ｌ３より内側（図１において、Ｌ１より上側で、かつ、Ｌ３より左側）に位置するようにしている。
なお、フレーム部材１の軸受け部１２及び第２軸受け部１３並びにこれに対応するフレーム部材１の軸部５１及びガイド壁５２は、いずれか一方を省略することもでき（図４は、フレーム部材１の軸受け部１２及びこれに対応するフレーム部材１の軸部５１を省略した第１実施例の変形例を示す。）、これにより、額縁の構成を簡略にすることができる。
【００１６】
ところで、フレーム部材１を開く際に、フレーム部材１の斜めの端部１ａは、閉じ位置からフレーム部材平面Ｌ１を越えるまでは隣接するフレーム部材１で相互に離間方向に移動し、フレーム部材平面Ｌ１を越えてからは近接方向に移動する。
閉じ位置からフレーム部材平面Ｌ１を越えるまでの角度、すなわち、フレーム部材１の揺動中心４を通るフレーム部材平面Ｌ１と、該揺動中心４を通るフレーム部材１の最大突出部の接線Ｌ２とがなす角度θは、本実施例では７０°なので、フレーム部材１の斜めの端部１ａは、開き始めたときから７０°の範囲は離間方向に移動し、フレーム部材平面Ｌ１を越えてからの７０°の範囲は、離間した分だけ近接方向に移動し、この７０°を越える時点で隣接するフレーム部材１の斜めの端部１ａと干渉する。
したがって、フレーム部材１の斜めの端部１ａを干渉することなく開くためには、フレーム部材１の揺動許容角Ａを７０°×２＝１４０°以下、すなわち２θ以下とすればよいことになる。
【００１７】
かくして、本実施例の額縁は、額縁の底部材２の各辺にフレーム部材１を揺動可能に支持するとともに、フレーム部材１を底部材２との間にばね３を架設し、フレーム部材１と底部材２とにより掲示物を着脱可能に挟持するようにした額縁において、前記フレーム部材１の揺動中心４を通るフレーム部材平面Ｌ１と、該揺動中心４を通るフレーム部材１の最大突出部の接線Ｌ２とがなす角度をθとして、フレーム部材１の揺動許容角Ａを２θ以下とすることから、フレーム部材１の斜めの端部１ａ同士を直接合わせるような額縁の場合でも、フレーム部材１を開いたときに干渉し始める角度以内にフレーム部材１を位置させることができ、これにより、隣接するフレーム部材１同士を干渉させることなくフレーム部材１を開くことができる。
また、底部材２の付勢点２２をフレーム部材１の付勢点より内側に位置させることにより、フレーム部材１を揺動中心４側に付勢するとともに、フレーム部材１の軸受け部１２及び第２軸受け部１３が、閉じ位置で、フレーム部材１の揺動中心４を通るフレーム部材平面Ｌ１より表側で、かつ、フレーム部材平面Ｌ１と直交し、フレーム部材１の揺動中心４を通る直交面Ｌ３より内側（図１において、Ｌ１より上側で、かつ、Ｌ３より左側）に位置するようにすることにより、同様に、額縁の構成を簡略にするとともに、フレーム部材の開閉動作を円滑に行うことができる。
【実施例２】
【００１８】
次に、図５に、本発明の額縁の第２実施例を示す。
この額縁は、第１実施例と同様に、コーナー部材を省略し、斜めに形成したフレーム部材１の端部１ａ同士を直接合わせるようにするもので、額縁の底部材２の各辺にフレーム部材１を揺動可能に支持するとともに、フレーム部材１を底部材２との間にばね３を架設し、フレーム部材１と底部材２とにより掲示物（図示省略）を着脱可能に挟持するようにしている。
そして、この額縁は、第１実施例と同様に、前記フレーム部材１の揺動中心４を通るフレーム部材平面Ｌ１と、該揺動中心４を通るフレーム部材１の最大突出部の接線Ｌ２とがなす角度をθとして、フレーム部材１の揺動許容角が２θ以下となるように設定している。
【００１９】
底部材２は、四角の枠状に形成され、底板や掲示物、プラスチックカバーを支える鍔部２１をその内側に備えるとともに、フレーム部材１を揺動可能に支持する揺動支持部５をその外側に備えている。
揺動支持部５は、底部材２の外周縁部の上面に形成された受け座５４と、該受け座５４の内側に、揺動中心４の同心円の円弧を有して形成されたガイド壁５５とを備えている。
受け座５４は後述するフレーム部材１の軸部１６を、また、ガイド壁５５は後述するフレーム部材１の軸受け部１７をそれぞれ揺動可能に支持しており、ガイド壁５５の先端に突設したストッパ５３が、軸受け部１７の先端に突設したストッパ１４に掛合することにより、フレーム部材１の揺動許容角を所定範囲に制限している。
また、底部材２の外側には、前記ばね３の付勢点２２が設けられており、この底部材２の付勢点２２をフレーム部材１の付勢点１５より外側に位置させることにより、フレーム部材１を揺動中心４と反対側に付勢している。
【００２０】
一方、フレーム部材１は、底部材２の鍔部２１とで掲示物等を挟持する鍔部１１をその内側に備え、また、底部材２の受け座５４に嵌合する軸部１６と、ガイド壁５５に支持される軸受け部１７とをその外側に備えている。軸部１６は受け座５４内で転動し、軸受け部１７はガイド壁５５に沿って摺動する。
軸受け部１７の先端には、ガイド壁５５のストッパ５３と掛合するストッパ１４が設けられており、これらのストッパ同士が掛合することにより、フレーム部材１の揺動許容角が所定範囲に制限される。
また、鍔部１１には、前記底部材２の付勢点２２より内側に位置するように、フレーム部材１のばね３の付勢点１５が設けられている。
そして、フレーム部材１の軸受け部１７が、閉じ位置で、フレーム部材１の揺動中心４を通るフレーム部材平面Ｌ１より表側で、かつ、フレーム部材平面Ｌ１と直交し、フレーム部材１の揺動中心４を通る直交面Ｌ３より内側（図５において、Ｌ１より上側で、かつ、Ｌ３より左側）に位置するようにしている。
【００２１】
本実施例においても、フレーム部材１を開く際には、フレーム部材１の斜めの端部１ａは、閉じ位置からフレーム部材平面Ｌ１を越えるまでは隣接するフレーム部材１で相互に離間方向に移動し、フレーム部材平面Ｌ１を越えてからは近接方向に移動する。
閉じ位置からフレーム部材平面Ｌ１を越えるまでの角度、すなわち、フレーム部材１の揺動中心４を通るフレーム部材平面Ｌ１と、該揺動中心４を通るフレーム部材１の最大突出部の接線Ｌ２とがなす角度θは、本実施例では６０°なので、フレーム部材１の斜めの端部１ａは、開き始めたときから６０°の範囲は離間方向に移動し、フレーム部材平面Ｌ１を越えてからの６０°の範囲は、離間した分だけ近接方向に移動し、この６０°を越える時点で隣接するフレーム部材１の斜めの端部１ａと干渉する。
したがって、フレーム部材１の斜めの端部１ａを干渉することなく開くためには、フレーム部材１の揺動許容角を６０°×２＝１２０°以下、すなわち２θ以下とすればよいことになる。
【００２２】
かくして、本実施例の額縁は、額縁の底部材２の各辺にフレーム部材１を揺動可能に支持するとともに、フレーム部材１を底部材２との間にばね３を架設し、フレーム部材１と底部材２とにより掲示物を着脱可能に挟持するようにした額縁において、前記フレーム部材１の揺動中心４を通るフレーム部材平面Ｌ１と、該揺動中心４を通るフレーム部材１の最大突出部の接線Ｌ２とがなす角度をθとして、フレーム部材１の揺動許容角を２θ以下とすることから、フレーム部材１の斜めの端部１ａ同士を直接合わせるような額縁の場合でも、フレーム部材１を開いたときに干渉し始める角度以内にフレーム部材１を位置させることができ、これにより、隣接するフレーム部材１同士を干渉させることなくフレーム部材１を開くことができる。
また、底部材２の付勢点２２をフレーム部材１の付勢点１５より外側に位置させることにより、フレーム部材１を揺動中心４と反対側に付勢するとともに、フレーム部材１の軸受け部１７が、閉じ位置で、フレーム部材１の揺動中心４を通るフレーム部材平面Ｌ１より表側で、かつ、フレーム部材平面Ｌ１と直交し、フレーム部材１の揺動中心４を通る直交面Ｌ３より内側（図５において、Ｌ１より上側で、かつ、Ｌ３より左側）に位置するようにすることにより、額縁の構成を簡略にするとともに、フレーム部材１の開閉動作を円滑に行うことができる。
【００２３】
以上、本発明の額縁について、複数の実施例に基づいて説明したが、本発明は上記実施例に記載した構成に限定されるものではなく、コーナー部材を有する額縁にも適用が可能であるなど、その趣旨を逸脱しない範囲において適宜構成を変更することができる。
【産業上の利用可能性】
【００２４】
本発明の額縁は、フレーム部材の斜めの端部同士を直接合わせるような額縁の場合でも、隣接するフレーム部材同士を干渉させることなくフレーム部材を開くことができるという特性を有していることから、例えば、コーナー部材を省略する額縁の用途に好適に用いることができる。
【図面の簡単な説明】
【００２５】
【図１】本発明の額縁の第１実施例を示す断面図である。
【図２】同実施例の額縁を示し、（ａ）はフレーム部材の断面図、（ｂ）は底部材の断面図である。
【図３】額縁を示し、（ａ）はコーナー部材を省略した額縁の平面図、（ｂ）はコーナー部材を有する額縁の平面図である。
【図４】本発明の額縁の第１実施例の変形例の額縁を示し、（ａ）はフレーム部材の断面図、（ｂ）は底部材の断面図である。
【図５】本発明の額縁の第２実施例を示す断面図である。
【符号の説明】
【００２６】
１    フレーム部材
１１  鍔部
１２  軸受け部
１３  第２軸受け部
１４  ストッパ
１４ａ  ストッパ
１４ｂ  ストッパ
１５  付勢点
１６  軸部
１７  軸受け部
２    底部材
２１  鍔部
２２  付勢点
３    ばね
４    揺動中心
５    揺動支持部
５１  軸部
５２  ガイド壁
５３  ストッパ
５３ａ  ストッパ
５３ｂ  ストッパ
５４  受け座
５５  ガイド壁
Ａ    揺動許容角
Ｌ１  フレーム部材平面
Ｌ２  接線
【図１】
2005176889.tif 000003
【図２】
2005176889.tif 000004
【図３】
2005176889.tif 000005
【図４】
2005176889.tif 000006
【図５】
2005176889.tif 000007